(57)【要約】【課題】カレー等レトルト食品類を収納する合成樹脂製の電子レンジ用加熱容器において、前以て鋏等で煩雑な開封をせずに電子レンジでの加熱処理時に蒸気抜きが安定して可能な、かつ蒸気抜き機構がシンプルで製造コストも嵩まない電子レンジ用加熱容器の提供にある。【解決手段】２枚の長方形状の複合シート１０の対向する周縁辺をシールして縁辺シール部１２、１４、１６を形成する電子レンジ用加熱容器１において、上縁辺シール部１６の左コーナーに直角三角形状の堰シール部２０が設けられ、この堰シール部の斜辺２０ａに沿って突起状の蒸気抜きシール部２２とその中に半貫通孔２５が設けられて、その蒸気抜き部２１が斜辺２０ａの下部と上部の２箇所に形成されている電子レンジ用加熱容器１とするものである。【選択図】図２
2004352295.tif 000002
【特許請求の範囲】
【請求項１】
内面がシーラント層でなる、少なくとも２枚の略長方形状のシートを内面同士が腹合わせになるように重ね合わせ、対向する周縁辺をシールして加熱用食品を収納する合成樹脂製の電子レンジ用加熱容器において、縦置きしたときの上縁辺の１コーナーに略直角三角形状の堰シール部が設けられ、該略直角三角形状の堰シール部の斜辺下部近傍に蒸気抜きシール部が設けられ、該蒸気抜きシール部内に貫通孔もしくは半貫通孔が穿設されて蒸気抜き部が形成されていることを特徴とする電子レンジ用加熱容器。
【請求項２】
内面がシーラント層でなる、少なくとも２枚の略長方形状のシートを内面同士が腹合わせになるように重ね合わせ、対向する周縁辺をシールして加熱用食品を収納する合成樹脂製の電子レンジ用加熱容器において、縦置きしたときの上縁辺の１コーナーに略直角三角形状の堰シール部が設けられ、該略直角三角形状の堰シール部の斜辺上部近傍に蒸気抜きシール部が設けられ、該蒸気抜きシール部内に貫通孔もしくは半貫通孔が穿設されて蒸気抜き部が形成されていることを特徴とする電子レンジ用加熱容器。
【請求項３】
内面がシーラント層でなる、少なくとも２枚の略長方形状のシートを内面同士が腹合わせになるように重ね合わせ、対向する周縁辺をシールして加熱用食品を収納する合成樹脂製の電子レンジ用加熱容器において、縦置きしたときの上縁辺の１コーナーに略直角三角形状の堰シール部が設けられ、該略直角三角形状の堰シール部の斜辺下部近傍および上部近傍に蒸気抜きシール部が設けられ、該蒸気抜きシール部内に貫通孔もしくは半貫通孔が穿設されて蒸気抜き部が形成されていることを特徴とする電子レンジ用加熱容器。
【請求項４】
上記蒸気抜き部が略直角三角形状の堰シール部の斜辺近傍の１乃至複数箇所に形成されていることを特徴とする請求項１乃至３のいずれかに記載の電子レンジ用加熱容器。
【請求項５】
上記縦置きしたときの上縁辺のシール辺の下部に線状の中身取出し開口予定部が設けられ、該線状の中身取出し開口予定部の端部で、かつ蒸気抜き部の対面側のシール辺にノッチが設けられていることを特徴とする請求項１乃至４のいずれかに記載の電子レンジ用加熱容器。
【請求項６】
上記ノッチの下部に掴みシール部が設けられていることを特徴とする請求項１乃至５のいずれかに記載の電子レンジ用加熱容器。
【請求項７】
上記縦置きしたときの形状が長方形状の短辺を横幅としてあることを特徴とする請求項１乃至６のいずれかに記載の電子レンジ用加熱容器。
【発明の詳細な説明】
【０００１】
【発明の属する技術分野】
本発明は、カレー等温めるだけで食するレトルト食品類を収納する包装袋に関するものであり、さらに詳細には、電子レンジで温める際のための蒸気抜き孔を有する電子レンジ用加熱容器に関する。
【０００２】
【従来の技術】
従来、カレーやお粥等で代表される温めるだけで食するレトルト食品類を収納する合成樹脂製のレトルト食品容器（包装袋）が知られ、そのレトルト食品類を温める手段として、包装袋ごと熱湯に入れる方法か、あるいは電子レンジに入れる方法があり、後者の電子レンジで温める場合は、袋内の空気等の膨張で包装袋の加熱によりシール強度が低下したシール部分から破れ、液状内容物が吹きこぼれる危険性があるため、そのインスタント食品類を包装袋から一旦深めの皿等に取り出してラップしてから、電子レンジに入れる方法がとられている。
【０００３】
【発明が解決しようとする課題】
しかし、上記の特に電子レンジに入れて温める手段においては、深めの皿等の準備や一旦内容物を取り出すなどの煩雑さがあるという問題があり、この問題点を解決するものとして、例えば図７に示すように、縦置きした時の上端のコーナーに堰シール部（２０）が設けられ、この堰シール部（２０）の斜辺に沿って線状の蒸気抜き開口予定部（８）と線状の注出開口予定部（９）とが一直線上に並んでいる電子レンジ加熱処理時用の開口予定部（６）が設けられた電子レンジ加熱用包装容器がある（例えば、特許文献１参照。）。
【０００４】
【特許文献１】
特開２０００−７２１８７号公報（第１頁、図１）
【０００５】
しかし、上記電子レンジ加熱用包装容器では、電子レンジに入れる前に蒸気抜き開口予定部（８）のみを鋏等で切断開口し、加熱処理後残りの線状の注出開口予定部（９）を切断開口するもので、鋏等の用意をしたり、２度の切断操作を行わなければならないという取扱いが煩雑なものとなっていた。
【０００６】
そこで上記電子レンジ加熱用包装容器における煩雑さ等の事情に鑑み提案されたものとして、例えば図８および図９に示すように、上部開口部の複合シート（１０）を構成するシーラント層（１０ｂ）面に、表面が易剥離シール層（５４）で裏面がシール層（５２）でなり、かつ蒸気抜き孔（４０）が穿設されている蒸気抜き孔シート（５０）のシール層（５２）面で蒸気抜き孔（４０）の周辺外側で略円形の帯状シール部（４２）を形成し、その易剥離シール層（５４）同士が密着されるように中心線（Ｉ）より曲げられ、側縁と上縁がシールされているもので、電子レンジによる加熱前に開封（口）を必要としない蒸気抜孔付包装袋がある（例えば、特許文献２参照。）。
【０００７】
【特許文献２】
特開２００１−２４０１４８号公報（第１頁、図１、図２）
【０００８】
しかしながら、上記蒸気抜孔付包装袋においては、蒸気抜きのための機構が材料構成も含み複雑で、蒸気抜きに不安定さがあり、かつ製造コストも嵩むという問題点があった。
【０００９】
【発明が解決しようとする課題】
本発明は、かかる従来技術の問題点を解決するものであり、その課題とするところは、カレー等レトルト食品類を温めるだけで食することができる合成樹脂製の電子レンジ用加熱容器において、前以て鋏等で煩雑な開封をせずとも電子レンジでの加熱処理時に蒸気抜きが安定して可能な電子レンジ用加熱容器で、かつ蒸気抜き構成がシンプルで製造コストも嵩まない電子レンジ用加熱容器を提供することにある。
【００１０】
【課題を解決するための手段】
本発明に於いて上記課題を達成するために、まず請求項１の発明では、内面がシーラント層でなる、少なくとも２枚の略長方形状のシートを内面同士が腹合わせになるように重ね合わせ、対向する周縁辺をシールして加熱用食品類を収納する合成樹脂製の電子レンジ用加熱容器において、縦置きしたときの上縁辺の１コーナーに略直角三角形状の堰シール部が設けられ、該略直角三角形状の堰シール部の斜辺下部近傍に蒸気抜きシール部が設けられ、該蒸気抜きシール部内に貫通孔もしくは半貫通孔が穿設されて蒸気抜き部が形成されていることを特徴とする電子レンジ用加熱容器としたものである。
【００１１】
上記請求項１の発明によれば、上記周縁辺がシールされた略長方形状の合成樹脂製の電子レンジ用加熱容器において、縦置きしたときの上端の１コーナーに略直角三角形状の堰シール部を設け、該略直角三角形状の堰シール部の斜辺下部近傍に蒸気抜きシール部を設け、該蒸気抜きシール部内に貫通孔もしくは半貫通孔を穿設して蒸気抜き部を形成しているので、前以て開封せずに電子レンジで加熱すると、容器内部の空気等が膨張し、その内圧が周縁辺のシール部と略直角三角形状の堰シール部の斜辺に到達し、その際にこの堰シール部の斜辺の下部近傍に設けられた蒸気抜きシール部に応力集中が起きて、この蒸気抜きシール部から剥離し、この剥離によって蒸気抜きシール部内に穿設されている貫通孔もしくは半貫通孔が開口して容器内部の蒸気が安定して抜け、他のシール部からの破袋を防止するようにした電子レンジ用加熱容器とするもので、このように蒸気抜きの機構とその構成がシンプルで製造コストも嵩まない電子レンジ用加熱容器を提供できる。
さらにまた、縦置きしたときの上端の１コーナーに略直角三角形状の堰シール部を設けることによって、電子レンジでの加熱処理後、電子レンジから取り出すに際し、あるいは縦置きするためのホルダーから取り出すに際し、熱くないこの直角三角形状の堰シール部を掴むことができるものである。
【００１２】
また、請求項２の発明では、内面がシーラント層でなる、少なくとも２枚の略長方形状のシートを内面同士が腹合わせになるように重ね合わせ、対向する周縁辺をシールして加熱用食品を収納する合成樹脂製の電子レンジ用加熱容器において、縦置きしたときの上縁辺の１コーナーに略直角三角形状の堰シール部が設けられ、該略直角三角形状の堰シール部の斜辺上部近傍に蒸気抜きシール部が設けられ、該蒸気抜きシール部内に貫通孔もしくは半貫通孔が穿設されて蒸気抜き部が形成されていることを特徴とする電子レンジ用加熱容器としたものである。
【００１３】
上記請求項２の発明によれば、上記周縁辺がシールされた略長方形状の合成樹脂製の電子レンジ用加熱容器において、縦置きしたときの上端の１コーナーに略直角三角形状の堰シール部を設け、該略直角三角形状の堰シール部の斜辺上部近傍に蒸気抜きシール部を設け、該蒸気抜きシール部内に貫通孔もしくは半貫通孔を穿設して蒸気抜き部を形成しているので、前以て開封せずに電子レンジで加熱すると、容器内部の空気等が膨張し、その内圧が周縁辺のシール部と略直角三角形状の堰シール部の斜辺に到達し、その際にこの堰シール部の斜辺上部近傍に突出している蒸気抜きシール部に応力集中が起きて、この蒸気抜きシール部から剥離し、この剥離によって蒸気抜きシール部内に設けられている貫通孔もしくは半貫通孔が開口して容器内部の蒸気が安定して抜け、他のシール部からの破袋を防止するようにした電子レンジ用加熱容器とするもので、このように蒸気抜きの機構とその構成がシンプルで製造コストも嵩まない電子レンジ用加熱容器を提供できる。
さらにまた、縦置きしたときの上端の１コーナーに略直角三角形状の堰シール部を設けることによって、電子レンジでの加熱処理後、電子レンジから取り出すに際し、あるいは縦置きするためのホルダーから取り出すに際し、熱くないこの直角三角形状の堰シール部を掴むことができるものである。
【００１４】
また、請求項３の発明では、内面がシーラント層でなる、少なくとも２枚の略長方形状のシートを内面同士が腹合わせになるように重ね合わせ、対向する周縁辺をシールして加熱用食品を収納する合成樹脂製の電子レンジ用加熱容器において、縦置きしたときの上縁辺の１コーナーに略直角三角形状の堰シール部が設けられ、該略直角三角形状の堰シール部の斜辺下部近傍および上部近傍に蒸気抜きシール部が設けられ、該蒸気抜きシール部内に貫通孔もしくは半貫通孔が穿設されて蒸気抜き部が形成されていることを特徴とする電子レンジ用加熱容器としたものである。
【００１５】
上記請求項３の発明によれば、上記周縁辺がシールされた略長方形状の合成樹脂製の電子レンジ用加熱容器において、縦置きしたときの上端の１コーナーに略直角三角形状の堰シール部を設け、該略直角三角形状の堰シール部の斜辺下部近傍と上部近傍に蒸気抜きシール部を設け、該蒸気抜きシール部内に貫通孔もしくは半貫通孔を穿設して蒸気抜き部を形成しているので、前以て開封せずに電子レンジで加熱すると、容器内部の空気等が膨張し、その内圧が周縁辺のシール部と略直角三角形状の堰シール部の斜辺に到達し、その際にこの堰シール部の斜辺下部近傍と上部近傍に突出している蒸気抜きシール部に応力集中が起きて、この蒸気抜きシール部から剥離し、この剥離によって蒸気抜きシール部内に設けられている貫通孔もしくは半貫通孔が開口して容器内部の蒸気が安定して抜け、他のシール部からの破袋を防止するようにした電子レンジ用加熱容器とするもので、このように蒸気抜きの機構とその構成がシンプルで製造コストも嵩まない電子レンジ用加熱容器を提供できる。
さらにまた、縦置きしたときの上端の１コーナーに略直角三角形状の堰シール部を設けることによって、電子レンジでの加熱処理後、電子レンジから取り出すに際し、あるいは縦置きするためのホルダーから取り出すに際し、熱くないこの直角三角形状の堰シール部を掴むことができるものである。
【００１６】
また、請求項４の発明では、上記蒸気抜き部が略直角三角形状の堰シール部の斜辺近傍の１乃至複数箇所に穿設されていることを特徴とする請求項１乃至３のいずれかに記載の電子レンジ用加熱容器としたものである。
【００１７】
上記請求項４の発明によれば、上記蒸気抜き部を略直角三角形状の堰シール部の斜辺近傍の１乃至複数箇所に設けるもので、特に半貫通孔の場合１箇所だけでなく複数箇所に蒸気抜き部を設けることによって、電子レンジの出力が大きい場合の蒸気発生量の増大に対しその排出が間に合うようにすることができ、他のシール部などからの破袋を防止できるようにした電子レンジ用加熱容器とすることができる。
【００１８】
上記請求項１、２、３でいう半貫通孔とは、シールされている２枚のシートのうちの少なくとも１枚が丸形状孔あるいはスリット状孔等で貫通されていることをいう。
【００１９】
また、請求項５の発明では、上記縦置きしたときの上縁辺のシール辺の下部に線状の中身取出し開口予定部が設けられ、該線状の中身取出し開口予定部の端部で、かつ蒸気抜きシール部の対面側のシール辺にノッチが設けられていることを特徴とする請求項１乃至４のいずれかに記載の電子レンジ用加熱容器としたものである。
【００２０】
上記請求項５の発明によれば、縦置きしたときの上縁辺のシール辺の下部に線状の中身取出し開口予定部を設け、この中身取出し開口予定部の端部で、かつ蒸気抜きシール部の対面側のシール辺にノッチを設けてあるので、電子レンジでの加熱処理後、即ち蒸気抜き完了後このノッチを起点として線状の中身取出し開口予定部を切断して開口を可能にする電子レンジ用加熱容器を提供することができる。
【００２１】
また、請求項６の発明では、上記ノッチの下部に掴みシール部が設けられていることを特徴とする請求項１乃至５のいずれかに記載の電子レンジ用加熱容器としたものである。
【００２２】
上記請求項６の発明によれば、上記ノッチの下部に掴みシール部を設けることによって、加熱後中身取出し開口予定部を切断して中身を取り出すに際し、熱くないその掴みシール部を掴んでノッチを起点に火傷などせずに安全に開口することができる電子レンジ用加熱容器を提供できる。
さらにまた、この掴みシール部を設けることによって、電子レンジでの加熱処理後、電子レンジから取り出すに際し、あるいは縦置きするためのホルダーから取り出すに際し、熱くないこの掴みシール部を掴むこともできるものである。
【００２３】
さらにまた、請求項７の発明では、上記縦置きしたときの形状が長方形状の短辺を横幅としてあることを特徴とする請求項１乃至６のいずれかに記載の電子レンジ用加熱容器としたものである。
【００２４】
上記請求項７の発明によれば、縦置きしたときの容器の形状が長方形状の短辺を横幅とする、即ち縦長の容器とすることによって、自立型の容器（スタンディングパウチと称されている）に適用することを可能にする電子レンジ用加熱容器を提供できる。
さらに縦長の容器とすることによって、線状の中身取出し開口予定部の位置を横幅方向に設けることができ、よってこの中身取出し開口予定部からの開口を容易にし、かつこの中身取出し開口予定部と湯せん加熱処理時用の開口予定部とを兼ねることを可能にする電子レンジ用加熱容器とすることができる。
【００２５】
【発明の実施の形態】
以下本発明の実施の形態を図面を用いて詳細に説明する。
【００２６】
本発明は、例えば図５の側断面図に示すように、内面がシーラント層でなる２枚の複合シート（２０）の周縁辺が腹合わせになるように重ね合わされ、対向する周縁辺がシールされて、温めるだけで食することができるカレー等流動性のあるレトルト食品（５）類を収納する収納空間（７）を形成している電子レンジ用加熱容器（１）であって、電子レンジ内で、例えばこの電子レンジ用加熱容器（１）を収納する外装箱（７０）内に立てかけて加熱するものや、例えば図６の斜視図に示すように、容器自体が自立するタイプ（スタンディングパウチ）の電子レンジ用加熱容器（１）をそのまま電子レンジ内に縦置きして加熱処理するものがあり、この電子レンジでの加熱処理時に収納空間（６）の空気等が膨張して、その内圧で周縁辺のシール部から破裂する事故を防ぐための蒸気抜き機構に関するものである。
【００２７】
そこで、上記請求項１に係る発明は、例えば図１（ａ）の正面図に示すように、２枚の長方形状の複合シート（１０）を内面同士が腹合わせになるように重ね合わせ、対向する周縁辺をシールして左右側縁辺シール部（１２）、上縁辺シール部（１６）、下縁辺シール部（１４）を形成してレトルト食品類を収納する四方シールの電子レンジ用加熱容器（１）であって、この上縁辺シール部（１６）と側縁辺シール部（１２）が交差する左コーナーに直角三角形状の堰シール部（２０）が設けられ、その直角三角形状の堰シール部（２０）の斜辺（２０ａ）に対してその下部に連続する突起状の蒸気抜きシール部（２２）が設けられ、この蒸気抜きシール部（２２）内に貫通孔（２４）が穿設されて蒸気抜き部（２１）が形成されている電子レンジ用加熱容器（１）とするものである。
【００２８】
上記蒸気抜き部（２１）の位置を、例えば図１（ｂ）の正面部分図に示すように、直角三角形状の堰シール部（２０）の斜辺（２０ａ）に対してその下部に離間して設けたものとしてもよい。
【００２９】
上記蒸気抜き部（２１）を構成する貫通孔（２４）は、図３（ａ）の側断面図に示すように、２枚の複合シート（１０）がシールされている蒸気抜きシール部（２２）内に２枚の複合シート（１０）とも穿設されているものであり、この貫通孔（２４）に代え、図３（ｂ）の側断面図に示すように、２枚の複合シート（１０）がシールされている蒸気抜きシール部（２２）内の１枚の複合シート（１０）を貫通する半貫通孔（２５）とすることもできる。
また、上記貫通孔（２４）または半貫通孔（２５）の孔の形状として、図１（ａ）、（ｂ）及び図２に示すような丸形状の他、四角形状、三角形状あるいはスリット状とすることもできる。
【００３０】
また、例えば図１（ａ）に示すように突起状の蒸気抜きシール部（２２）の位置として、直角三角形状の堰シール部（２０）の斜辺（２０ａ）近傍で、上記のように斜辺（２０ａ）の下部に設けた方が、内圧が集中し易いことから好ましい。
【００３１】
また、図１に示すような四方シールの電子レンジ用加熱容器（１）に代え、例えば図６の斜視図に示すように、２枚の長方形状の複合シート（１０）の対向する左右側縁辺と上縁辺をシールして左右側縁辺シール部（１２）と上縁辺シール部（１６）を形成し、下縁辺には上記複合シート（１０）と略同一の構成でなる底シート（１１）をシールして下縁辺シール部（１４）を形成した自立タイプ（スタンディングパウチ）の電子レンジ用加熱容器（１）とすることもできる。
【００３２】
上記のように、上縁辺のコーナーに堰シール部（２０）とその斜辺（２０ａ）に突出している蒸気抜きシール部（２２）とその中に貫通孔（２４）を設けた電子レンジ用加熱容器（１）とすることによって、前以て開封せずにその電子レンジ用加熱容器（１）を電子レンジで加熱すると、収納空間（７）の空気等が膨張し、その内圧が直角三角形状の堰シール部（２０）の斜辺（２０ａ）方向に向かい、その際にこの応力が斜辺（２０ａ）下部に突出している蒸気抜きシール部（２２）に集中し、その結果蒸気抜きシール部（２２）のシーラント層を凝集剥離させ、この剥離によって蒸気抜きシール部（２２）内に穿設されている貫通孔（２４）が開口して容器内部の蒸気が安定して抜けるようになるものである。
【００３３】
さらにまた、例えば図６に示すように、上縁辺のコーナーに直角三角形状の堰シール部（２０）を設けることによって、電子レンジでの加熱処理後、電子レンジから取り出すに際し、熱くなっていない直角三角形状の堰シール部（２０）を掴むことができるというメリットもある電子レンジ用加熱容器（１）である。
【００３４】
上記堰シール部（２０）の大きさ（サイズ）は、電子レンジ用加熱容器（１）のサイズにもよるが、例えば図１（ａ）に示すように縦の長さ（Ｔ）が１７０ｍｍ、横幅（Ｙ）が１３０ｍｍの長方形の複合シート（１０）の場合で、左側縁辺シール部（１２）と上縁辺シール部（１６）を含め、上辺の長さ（Ｗ）が３５ｍｍ、左辺の長さ（Ｈ）が４５ｍｍ程度の直角三角形とするものである。また上記上記抜きシール部（２２）のサイズとしては、上記堰シール部（２０）のサイズに対し、５〜１０ｍｍ角の範囲程度とするものである。
【００３５】
また、上記請求項２に係る発明は、図示しないが、直角三角形状の堰シール部の斜辺の上部に蒸気抜きシール部が設けられ、この蒸気抜きシール部内に貫通孔あるいは半貫通孔が穿設されている電子レンジ用加熱容器とするものである。
【００３６】
また、上記請求項３に係る発明は、例えば図２の側面図に示すように、２枚の長方形状の複合シート（１０）を内面同士が腹合わせになるように重ね合わせ、対向する周縁辺をシールして左右側縁辺シール部（１２）、上縁辺シール部（１６）、下縁辺シール部（１４）を形成してレトルト食品類を収納する四方シールの電子レンジ用加熱容器（１）において、この上縁辺シール部（１６）と側縁辺シール部（１２）が交差する左コーナーに直角三角形状の堰シール部（２０）が設けられ、その直角三角形状の堰シール部（２０）の斜辺（２０ａ）の下部と上部の２箇所に突起状の蒸気抜きシール部（２２）が設けられ、この蒸気抜きシール部（２２）内に半貫通孔（２５）が穿設されている電子レンジ用加熱容器（１）とするものである。
【００３７】
このように直角三角形状の堰シール部（２０）の斜辺（２０ａ）の下部と上部との２箇所に突起状の蒸気抜きシール部（２２）とその内部の半貫通孔（２５）を穿設して蒸気抜き部（２１）を形成することによって、蒸気抜き用の半貫通孔（２５）が２つになり、例えば電子レンジの出力が大きい場合、蒸気発生量が増えても、外部への排出が２つの半貫通孔（２５）から成されるので、他のシール辺（１２、１４、１６）などから破袋せずに蒸気抜きができる電子レンジ用加熱容器（１）とするものである。
【００３８】
さらにまた、上記請求項４に係る発明では、例えば図２に示すような半貫通孔（２５）を堰シール部（２０）の斜辺（２０ａ）に沿って、複数個（２〜４個程度）設けてもよく、この場合も半貫通孔（２５）に代え、貫通孔としてもよく、さらにはこれらの組み合わせでも構わない。また、図６に示すような自立タイプ（スタンデイングパウチ）の電子レンジ用加熱容器（１）にも複数個の半貫通孔を堰シール部（２０）の斜辺（２０ａ）に沿って設けたものとすることができる。
【００３９】
また、上記請求項５に係る発明は、例えば図１に示すように、縦置きしたときの上縁辺シール部（１６）の下部に線状の中身取出し開口予定部（３）が設けられ、この線状の中身取出し開口予定部（３）の右端部に、かつ蒸気抜き部（２１）の対面側の右側縁辺シール部（１２）ににＶ型ノッチ（２８）が設けられている電子レンジ用加熱容器（１）である。
【００４０】
上記Ｖ型ノッチ（２８）に代え、Ｉ型ノッチあるいはＵ型ノッチでもよく、その形状を限定するものではない。
【００４１】
上記のように上縁辺シール部（１６）の下部に線状の中身取出し開口予定部（３）を設け、この中身取出し開口予定部（３）の端部に、かつ蒸気抜きシール部（２２）の対面側の右側縁辺シール部（１２）にＶ型ノッチ（２８）を設けてあるので、電子レンジでの加熱処理後、即ち蒸気抜き完了後このＶノッチ（２８）を起点として線状の中身取出し開口予定部（３）に沿って切断して開口し、中身を皿等に取り出すことができる電子レンジ用加熱容器（１）である。
【００４２】
また、上記請求項６に係る発明は、例えば図１に示すように、Ｖ型ノッチ（２８）の下部に掴みシール部（２６）が設けられている電子レンジ用加熱容器（１）とするもので、加熱処理後、中身取出し開口予定部（３）を切断して中身を取り出す時に、熱くなっていない掴みシール部（２６）を掴んでＶ型ノッチ（２８）を起点に切断でき、火傷などせずに安全に開口することができるようにしたものである。
さらにまた、この掴みシール部（２６）を設けることによって、電子レンジでの加熱処理後、電子レンジから取り出す際にも、あるいは縦置きするためのホルダーから取り出す際にも、熱くなっていない掴みシール部（２６）を掴むこともできるものである。
【００４３】
上記掴みシール部（２６）のサイズとして、例えば図１に示すように、右側縁辺シール部（１２）から１０ｍｍ程度突出しているものとし、手指で掴む程度のサイズでよい。
【００４４】
さらにまた、上記請求項７に係る発明は、例えば図１に示すように、縦置きしたときの形状が長方形状の短辺を横幅としてある、即ち上下縁辺シール部（１６、１４）が長方形の短辺とするもので、このように縦長の容器とすることによって、図６に示すように、自立型の容器（スタンディングパウチ）に適用することを可能にするとともに、線状の中身取出し開口予定部（３）の位置を横幅方向に設けることができ、よってこの中身取出し開口予定部（３）からの開口（切断）を容易にし、かつこの中身取出し開口予定部（３）と従来は図７に示すように別別に設けていた湯せん加熱処理時用の開口予定部（１３）とを兼ねることを可能にしたものである。
【００４５】
以下に上記本発明の電子レンジ用加熱容器（１）を構成する材料やその製法などについて説明する。
【００４６】
上記本発明の電子レンジ用加熱容器を構成する複合シート（１０）として、例えば図４の側断面積層図に示すように、少なくとも最外面が基材フィルム（１０ａ）と最内面がシーラント層（１０ｂ）でなり、その間に外側から例えば透明バリア層（１０ｃ）、柄印刷層（１０ｄ）、白色インキ層（１０ｅ）、中間フィルム（１０ｆ）が順に積層されているものが多く、内容物などによりこれら層を適宜選定するもので、必要に応じて遮光層等をも積層される場合がある。
【００４７】
上記基材フィルム（１０ａ）としては、例えば厚さ１２〜１５μｍ程度のポリエチレンテレフタレート、二軸延伸ポリアミド（ナイロン）などが用いられ、また、透明バリア層（１０ｃ）としては、上記基材フィルム（１０ａ）に無機酸化物の蒸着で得られ、その無機酸化物として例えば酸化アルミニウム、酸化珪素が挙げられ、これら無機酸化物を加熱し蒸発させて蒸着する物理蒸着法（ＰＶＤ法）、あるいはシラン、シロキサン、金属アルコキシド等の原料を気相で酸素等と反応させながら堆積させる化学蒸着法（ＣＶＤ法）があり、いずれかの方法で１００〜１５００Å程度の透明バリア層（１０ｃ）とすることができる。
また、上記中間フィルム（１０ｆ）としては、１５〜２５μｍ程度のナイロン、ＭＸＤナイロンなどが用いられる場合がある。
【００４８】
また、図６に示すスタンディングパウチタイプの電子レンジ用加熱容器（１）を構成する底シート（１１）としては、図４に示す複合シート（１０）から柄印刷層（１０ｄ）を除いたものが使用される。
【００４９】
また、上記本発明の電子レンジ用加熱容器（１）を構成する周縁辺のシール部、即ち左右側縁辺シール部（１２）、下縁辺シール部（１４）、上縁辺シール部（１６）は、ヒートシールバー方式あるいは超音波シール方式などで得られ、そのシール強度は、２２．５４ｋｇ／１５ｍｍ以上とし、レトルト食品用に定められた基準に準拠しているものである。
【００５０】
以上のような形態の電子レンジ用加熱容器（１）の使用に際し、例えば図５の側断面図に示すように、四方シールされた電子レンジ用加熱容器（１）の上縁辺シール部（１６）を上にして、この電子レンジ用加熱容器（１）が収納されていた箱容器本体（７２）とその上部に折り曲げ線（ｈ）で連結している蓋体（７４）とでなる自立性の外装箱（７０）を利用し、その蓋体（７４）が開かれた状態の箱容器本体（７２）内に立てかけ、電子レンジ内に置いて加熱する。
【００５１】
あるいは図６に示すように、上縁辺シール部（１６）を上にして電子レンジ内にスタンディングタイプの電子レンジ用加熱容器（１）を置いて、加熱する。
【００５２】
上記のような加熱によって、容器内部の空気等が膨張し、例えば図６に示すように、その内圧が特に堰シール部（２０）の斜辺（２０ａ）の下部に突出している蒸気抜き部（２１）に集中して、この蒸気抜きシール部（２２）が剥離して、蒸気抜きシール部（２２）内の貫通孔（２４）が開口し、２つの孔を形成して容器内部の蒸気が抜けるようになる。
【００５３】
また、図２に示すような直角三角形状の堰シール部（２０）の斜辺（２０ａ）の下部と上部の２箇所に突起状の蒸気抜きシール部（２２）とその内部の半貫通孔（２５）を穿設して蒸気抜き部（２１）を形成した電子レンジ用加熱容器（１）を電子レンジで加熱すると、その内圧が特に堰シール部（２０）の斜辺（２０ａ）の下部と上部に突出している蒸気抜き部（２１）に集中して、この蒸気抜きシール部（２２）が剥離して、蒸気抜きシール部（２２）内の半貫通孔（２５）が開口し、一方の複合シート（１０）に穿設されている２つの孔を形成して容器内部の蒸気が抜けるようになる。このように半貫通孔（２５）の場合は、貫通孔の場合に比べ１／２の蒸気抜き孔となる。
【００５４】
加熱が完了すると、例えば熱くなっていない堰シール部（２０）を掴んで電子レンジ内から取り出し、続いて掴みを熱くなっていない掴みシール部（２６）に取り替え、Ｖ型ノッチ（２８）から線状の中身取出し開口予定部（３）に従って切断し、その開口部からカレー等内容物を別の皿などに取り出して食することができるものである。
【００５５】
【発明の効果】
本発明は以上の構成であるから、下記に示す如き効果がある。
即ち、上記請求項１に係る発明においては、周縁辺がシールされた略長方形状の合成樹脂製の電子レンジ用加熱容器において、縦置きしたときの上端の１コーナーに略直角三角形状の堰シール部を設け、この堰シール部の斜辺下部近傍に、蒸気抜きシール部を設け、この蒸気抜きシール部内に貫通孔もしくは半貫通孔を穿設して蒸気抜き部を形成しているので、前以て開封せずに電子レンジで加熱すると、容器内部の空気等が膨張し、その内圧で堰シール部の斜辺下部近傍に突出している蒸気抜きシール部に応力集中が起きて、その結果この蒸気抜きシール部のシールが剥離し、蒸気抜きシール部内に設けられている貫通孔もしくは半貫通孔が開口してその開口孔から容器内部の蒸気が安定して抜け、他のシール部からの破袋を防止するようにした電子レンジ用加熱容器とするもので、このように蒸気抜きの機構とその構成がシンプルで製造コストも嵩まない電子レンジ用加熱容器を提供できる効果がある。
【００５６】
さらにまた、縦置きしたときの上端の１コーナーに略直角三角形状の堰シール部を設けることによって、電子レンジでの加熱処理後、電子レンジから取り出すに際し、あるいは縦置きするためのホルダーから取り出すに際し、熱くなっていないこの直角三角形状の堰シール部を掴んで安全に取り出すことができるという効果もあるものである。
【００５７】
また、上記請求項２に係る発明においては、上記周縁辺がシールされた略長方形状の合成樹脂製の電子レンジ用加熱容器において、縦置きしたときの上端の１コーナーに略直角三角形状の堰シール部を設け、該略直角三角形状の堰シール部の斜辺上部近傍に蒸気抜きシール部を設け、該蒸気抜きシール部内に貫通孔もしくは半貫通孔を穿設して蒸気抜き部を形成しているので、前以て開封せずに電子レンジで加熱すると、容器内部の空気等が膨張し、その内圧が周縁辺のシール部と略直角三角形状の堰シール部の斜辺に到達し、その際にこの堰シール部の斜辺上部近傍に突出している蒸気抜きシール部に応力集中が起きて、この蒸気抜きシール部から剥離し、この剥離によって蒸気抜きシール部内に設けられている貫通孔もしくは半貫通孔が開口して容器内部の蒸気が安定して抜け、他のシール部からの破袋を防止するようにした電子レンジ用加熱容器とするもので、このように蒸気抜きの機構とその構成がシンプルで製造コストも嵩まない電子レンジ用加熱容器を提供できる効果がある。
【００５８】
また、上記請求項３に係る発明においては、上記周縁辺がシールされた略長方形状の合成樹脂製の電子レンジ用加熱容器において、縦置きしたときの上端の１コーナーに略直角三角形状の堰シール部を設け、該略直角三角形状の堰シール部の斜辺下部近傍および上部近傍に蒸気抜きシール部を設け、該蒸気抜きシール部内に貫通孔もしくは半貫通孔を穿設して蒸気抜き部を形成しているので、前以て開封せずに電子レンジで加熱すると、容器内部の空気等が膨張し、その内圧が周縁辺のシール部と略直角三角形状の堰シール部の斜辺に到達し、その際にこの堰シール部の斜辺下部近傍と上部近傍に突出している蒸気抜きシール部に応力集中が起きて、この蒸気抜きシール部から剥離し、この剥離によって蒸気抜きシール部内に設けられている貫通孔もしくは半貫通孔が開口して容器内部の蒸気が安定して抜け、他のシール部からの破袋を防止するようにした電子レンジ用加熱容器とするもので、このように蒸気抜きの機構とその構成がシンプルで製造コストも嵩まない電子レンジ用加熱容器を提供できる効果がある。
【００５９】
また、上記請求項４に係る発明においては、上記蒸気抜き部を略直角三角形状の堰シール部の斜辺近傍の１乃至複数箇所に設けるもので、特に半貫通孔の場合１箇所だけでなく複数箇所に蒸気抜き部を設けることによって、電子レンジの出力が大きい場合の蒸気発生量の増大に対しその排出が間に合うようにすることができ、他のシール部などからの破袋を防止できるようにした電子レンジ用加熱容器とする効果がある。
【００６０】
また、上記請求項５に係る発明において、縦置きしたときの上縁辺のシール辺の下部に線状の中身取出し開口予定部を設け、この中身取出し開口予定部の端部で、かつ蒸気抜きシール部の対面側のシール辺にノッチを設けてあるので、電子レンジでの加熱処理後、即ち蒸気抜き完了後このノッチを起点として線状の中身取出し開口予定部を切断して開口を可能にする電子レンジ用加熱容器を提供できる効果がある。
【００６１】
また、上記請求項６に係る発明において、ノッチの下部に掴みシール部を設けることによって、加熱後中身取出し開口予定部を切断して中身を取り出す時に、熱くなっていない掴みシール部を掴んでノッチを起点に火傷などせずに安全に開口することができる電子レンジ用加熱容器を提供できる効果がある。
【００６２】
さらにまた、この掴みシール部を設けることによって、電子レンジでの加熱処理後、電子レンジから取り出す時に、あるいは縦置きするためのホルダーから取り出す時に、熱くなっていないこの掴みシール部を掴むこともでき、安全に取り出すことができる効果がある。
【００６３】
さらにまた、上記請求項７に係る発明においては、縦置きしたときの容器の形状が長方形状の短辺を横幅とする、即ち縦長の容器とすることによって、自立型の容器（スタンディングパウチ）に適用することを可能にし、かつ湯せん加熱処理時用の開口は、電子レンジ加熱処理時と同種の開口予定部を兼ねることを可能にする効果がある。
【００６４】
従って本発明は、カレー等温めるだけで食するレトルト食品類を収納する容器で、特に電子レンジで温める際のための蒸気抜き機構を有する電子レンジ用加熱容器として、優れた実用上の効果を発揮する。
【図面の簡単な説明】
【図１】本発明の電子レンジ用加熱容器の一実施の形態を示すもので、
（ａ）は、その正面図であり、
（ｂ）は、他の位置にある正面部分図である。
【図２】本発明の電子レンジ用加熱容器の他の一実施の形態を示す正面図である。
【図３】本発明の電子レンジ用加熱容器の蒸気抜き部の一実施の形態を示すもので、
（ａ）は、貫通孔の側断面図であり、
（ｂ）は、半貫通孔の側断面図である。
【図４】本発明の電子レンジ用加熱容器を構成する複合シートの一実施の形態を示す側断面積層図である。
【図５】本発明の電子レンジ用加熱容器の一事例の使用状態を側断面で表した説明図である。
【図６】本発明の電子レンジ用加熱容器の他の一事例の使用状態を側断面で表した説明図である。
【図７】従来の電子レンジ加熱用包装容器の一事例を示す側面図である。
【図８】従来の蒸気抜孔付包装袋の一事例を示す斜視図である。
【図９】従来の蒸気抜孔付包装袋の製造の途中工程の一事例を示す斜視図である。
【符号の説明】
１‥‥電子レンジ用加熱容器
３‥‥中身取出し開口予定部
５‥‥レトルト食品
６‥‥電子レンジ加熱処理時用の開口予定部
７‥‥収納空間
８‥‥蒸気抜き開口予定部
９‥‥注出開口予定部
１０‥‥複合シート
１０ａ‥‥基材フィルム
１０ｂ‥‥シーラント層
１０ｃ‥‥透明バリア層
１０ｄ‥‥柄印刷層
１０ｅ‥‥白色インキ層
１０ｆ‥‥中間フィルム
１１‥‥底シート
１２‥‥左右側縁辺シール部
１３‥‥湯せん加熱処理時用の開口予定部
１４‥‥下縁辺シール部
１６‥‥上縁辺シール部
２０‥‥堰シール部
２０ａ‥‥直角三角形の斜辺
２１‥‥蒸気抜き部
２２‥‥蒸気抜きシール部
２４‥‥貫通孔
２５‥‥半貫通孔
２６‥‥掴みシール部
２８‥‥Ｖ型ノッチ
４０‥‥蒸気抜き孔
４２‥‥帯状シール部
５０‥‥蒸気抜き孔シート
５２‥‥シール層
５４‥‥易剥離シール層
７０‥‥外装箱
７２‥‥箱容器本体
７４‥‥蓋体
Ｉ‥‥中心線
Ｈ‥‥堰シール部の左辺の長さ
Ｔ‥‥複合シートの縦の長さ
Ｗ‥‥堰シール部の上辺の長さ
Ｙ‥‥複合シートの横幅
ｈ‥‥折り曲げ線
【図１】
2004352295.tif 000003
【図２】
2004352295.tif 000004
【図３】
2004352295.tif 000005
【図４】
2004352295.tif 000006
【図５】
2004352295.tif 000007
【図６】
2004352295.tif 000008
【図７】
2004352295.tif 000009
【図８】
2004352295.tif 000010
【図９】
2004352295.tif 000011